(57)【特許請求の範囲】
【請求項１】
シャッタユニットとして製作されてからカメラ本体に組み付けられるようにしたフォーカルプレンシャッタにおいて、カメラ本体に組み付けられた後にカメラ本体側の部材の押動部によって押される被押動部を有していて該被押動部がシャッタ地板面に対して略平行に往復作動し得るようにしてシャッタ地板に取り付けられた連動部材を備えており、前記被押動部の作動軌跡に対応した前記シャッタ地板面には、前記被押動部が前記押動部によって押し続けられる可能性のある最小作動位置に予め指標を設けておき、カメラ本体に組み付けられる前のシャッタユニット組立時において該被押動部と該指標の相対位置関係を目視で確認することによって、カメラ本体へ組み付けた後における前記連動部材の前記カメラ本体側の部材に対する連動関係の適否を判定可能としたことを特徴とするフォーカルプレンシャッタ。
【請求項２】
前記連動部材が、セット時において先羽根用駆動部材と後羽根用駆動部材とを夫々の駆動ばねに抗してセット位置に作動させるセット部材であることを特徴とする請求項１に記載のフォーカルプレンシャッタ。
【請求項３】
前記連動部材が、先羽根用駆動部材と後羽根用駆動部材とを夫々の駆動ばねに抗してセット位置に作動させるセット部材を、そのセット位置で係止するレリーズ部材であることを特徴とする請求項１に記載のフォーカルプレンシャッタ。
【請求項４】
前記指標の一つが、前記被押動部が前記押動部によって押される可能性のある最大作動位置に設けられていることを特徴とする請求項１乃至３の何れかに記載のフォーカルプレンシャッタ。
【請求項５】
前記指標の一つが、前記押動部が前記被押動部を押し始める可能性のある最終位置に設けられていることを特徴とする請求項１乃至４の何れかに記載のフォーカルプレンシャッタ。
【発明の詳細な説明】
【０００１】
【発明の属する技術分野】
本発明は、撮影に際し、先羽根群と後羽根群とを同一方向へ順次走行させ、それらによって形成されるスリットによってフィルムを露光するようにしたカメラ用のフォーカルプレンシャッタに関する。
【０００２】
【従来の技術】
カメラが製作されるとき、通常、この種のフォーカルプレンシャッタはユニットとして製作され、その後にカメラ本体に組み付けられる。そして、組み付け後は、当然のことながらカメラ本体側の機構に連動してシャッタユニット側の機構が作動されるようになる。そのようにして作動されるシャッタユニット側の部材のうち典型的なものには、セット部材とレリーズ部材がある。ところで、シャッタユニットをカメラ本体に組み付けるとき、両者をインターフェイスする部材間が、歯車と歯車を噛合させる場合のように直結されるのであれば問題は少ないが、上記したセット部材やレリーズ部材のように、インターフェイスする部材間が、作動上、その都度、接触したり離れたりするするような関係にある場合には、組み付け作業を行う前又は行っている段階では、インターフェイスの適・不適を判定するのが困難である。そのため、一旦、組み付け作業を行った後に、カメラを作動させてみて、判定するのが普通である。そして、不適と判定された場合には、組み付け作業をやり直し、シャッタユニットを交換しなければならなくなる。
【０００３】
そのようなインターフェイスの不適は、通常、カメラ本体側の加工公差とシャッタ側の加工公差を原因として発生するものであるため、そのような事態を避けるためには、両者側とも公差を厳しくして製作する必要があるが、当然のことながら公差をゼロにすることはできない。そのため、シャッタユニットを組み立てるに際しては、カメラ本体側の部材の作動位置の公差範囲を考慮して、その範囲であればどのような場合においても適正に作動するように製作しなければならなくなる。そして、その適否を判定する場合、従来は、組み立てられたシャッタユニットと検具とを、所定の治具に固定しておいて、シャッタ側の部材が、検具の検出端で押されるようにし、その検出端の作動量を読みながら、カメラ側の部材との適正な連動が可能であるか、またカメラ側の部材によって作動されている間に所定の機能を果たすことが可能であるかを目視で判断するようにしていた。
【０００４】
【発明が解決しようとする課題】
しかしながら、この種の検査は全数行う必要があることから、上記のような従来の方法で行う場合には、検具を沢山用意しておかなければならいという問題点があり、また、それによって検具の精度維持も必要になってくる。また、カメラ本体側の部材の公差範囲に合わせて、その都度、目盛を読むことになるため、読み間違いをするおそれがあり、非常に神経を使わなければならないという問題点がある。更に、従来の方法によれば、検具を、リセットしてからシャッタユニットを治具から取り外し、新しいシャッタユニットをセットしなければならず、工数が大きくなるという問題点もある。
【０００５】
本発明は、このような問題点を解決するためになされたものであり、その目的とするところは、特別に検具を用いることなしに、シャッタユニットの組立完了時に、カメラ本体側の部材の作動位置の公差範囲に対応して、シャッタ側の部材の作動が適正に行われるか否かを簡単に確認できるようにしたカメラ用のフォーカルプレンシャッタを提供することである。
【０００６】
【課題を解決するための手段】
上記の目的を達成するために、本発明は、シャッタユニットとして構成されてからカメラ本体に組み付けられるようにしたフォーカルプレンシャッタにおいて、カメラ本体に組み付けられた後にカメラ本体側の部材の押動部によって押される被押動部を有していて該被押動部がシャッタ地板面に対して略平行に往復作動し得るようにしてシャッタ地板に取り付けられた連動部材を備えており、前記被押動部の作動軌跡に対応した前記シャッタ地板面には、前記被押動部が前記押動部によって押し続けられる可能性のある最小作動位置に予め指標を設けておき、カメラ本体に組み付けられる前のシャッタユニット組立時において該被押動部と該指標の相対位置関係を目視で確認することによって、カメラ本体へ組み付けた後における前記連動部材の前記カメラ本体側の部材に対する連動関係の適否を判定可能とする。
【０００７】
また、本発明におけるフォーカルプレンシャッタにおいては、好ましくは、前記連動部材が、セット時において先羽根用駆動部材と後羽根用駆動部材とを夫々の駆動ばねに抗してセット位置に作動させるセット部材であるようにする。
また、本発明におけるフォーカルプレンシャッタにおいては、好ましくは、前記連動部材が、先羽根用駆動部材と後羽根用駆動部材とを夫々の駆動ばねに抗してセット位置に作動させるセット部材を、そのセット位置で係止するレリーズ部材であるようにする。
【０００８】
更に、本発明におけるフォーカルプレンシャッタにおいては、好ましくは、前記指標の一つが、前記被押動部が前記押動部によって押される可能性のある最大作動位置に設けられているようにする。
更に、本発明におけるフォーカルプレンシャッタにおいては、好ましくは、前記指標の一つが、前記押動部が前記被押動部を押し始める可能性のある最終位置に設けられているようにする。
【０００９】
【発明の実施の形態】
本発明の実施の形態を、図１〜図４に示した第１実施例と図５〜図７に示した第２実施例によって説明する。尚、図１は第１実施例の分解斜視図である。また、図２〜図４は第１実施例の平面図であって、図２はセット部材がセット作動前位置にある状態を、図３はセット部材がセット完了位置にある状態を、図４はセット作動停止位置にある状態を示している。更に、図５〜図７は第２実施例の平面図であって、図５はセット部材がセット完了位置にあり、レリーズ部材によって係止されている状態を、図６はセット部材がセット完了位置にあり、レリーズ部材による係止が解かれる直前の状態を、図７はセット部材がセット作動前位置にあり、レリーズ部材が時計方向へ最大限に回転された状態を示している。
【００１０】
先ず第１実施例の構成から説明する。図１に示されたシャッタ地板１は合成樹脂製であって、周知のように略中央部には開口部１ａが形成されており、その開口部１ａの左方には三つの円弧状の孔１ｂ，１ｃ，１ｄが形成されている。また、シャッタ地板１には、三つの軸１ｅ，１ｆ，１ｇが一体成形にて立設されていて、各軸には、シャッタ地板１側から間座部，大径部，小径部が形成されている。そして、それらのうちの二つの軸１ｅ，１ｆには、その先端面から軸方向にネジ穴が形成されている。更に、開口部１ａの直ぐ左方位置には、三つの指標Ａ，Ｂ，Ｃが線状に付けられている。
【００１１】
シャッタ地板１の背面側には、周知のように、夫々所定の間隔を空けて、図示していない中間板とカバー板が順に取り付けられている。そして、それらの中間板やカバー板にも上記開口部１ａと類似の形状をした開口部が形成されており、通常は、それらの三つの開口部の合成によって、シャッタユニットとしての長方形の露光開口が形成されるが、本実施例においては、実質上、開口部１ａがその露光開口を規制している。また、本実施例の場合には、シャッタ地板１と中間板の間が先羽根群の羽根室となり、中間板とカバー板の間が後羽根群の羽根室となっている。各羽根群は、周知の構成をしており、夫々、シャッタ地板１に枢着された二つのアームに複数枚の羽根を枢支している。そして、このようなシャッタユニットをカメラに組み付けた場合には、シャッタ地板１がレンズ側となる。
【００１２】
本実施例における先羽根用駆動部材２と後羽根用駆動部材３は合成樹脂製であって、夫々、筒部２ａ，３ａ、作動ピン２ｂ，３ｂ、被押動部２ｃ，３ｃ、取付部２ｄ，３ｄを有しており、筒部２ａ，３ａを上記した軸１ｅ，１ｆの大径部に回転可能に嵌合させている。また、作動ピン２ｂ，３ｂは、上記した円弧状の孔１ｂ，１ｃを貫通して、シャッタ地板１の背面側で各羽根群のアームに形成された孔に嵌合している。それにより、各駆動部材２，３が露光作動時に時計方向へ回転した場合には、先羽根用駆動部材２は、開口部１ａを覆っていた先羽根群を重畳させつつ開口部１ａの下方へ格納させて開口部１ａを開き、後羽根用駆動部材３は、開口部１ａの上方位置に格納されていた後羽根群を展開させ開口部１ａを閉じるようになっている。更に、被押動部２ｃ，３ｃは、それらの端面がカム面として形成されており、取付部２ｄ，３ｄには鉄片部材４，５が取り付けられている。
【００１３】
各駆動部材２，３の筒部２ａ，３ａには、先羽根用駆動ばね６と後羽根用駆動ばね７が嵌装されており、また上記した軸１ｅ，１ｆの小径部にはラチェット車８，９が回転可能に嵌合されている。そして、各駆動ばね６，７は、周知の手段によって一端を各ラチェット車８，９に、他端を各駆動部材２，３に掛けており、後述の手段によって各ラチェット車８，９が回転止めされることによって、各駆動部材２，３を時計方向へ回転させる付勢力が付与されている。
【００１４】
セット部材１０は合成樹脂製であって、筒部１０ａ、押動部１０ｂ，１０ｃ、被押動部１０ｄ、ばね掛け１０ｅ、突起１０ｆを有していて、その筒部１０ａを上記した軸１ｇの大径部に回転可能に嵌合させている。そして、押動部１０ｂ，１０ｃは、それらの端面がカム面として形成されており、夫々上記した各駆動部材２，３の被押動部２ｃ，３ｃを押し、それによって該駆動部材２，３を反時計方向へ回転させ得るようになっている。また、被押動部１０ｄは、図１に示してあるように、矢印方向へ作動するカメラ本体側のセット操作部材１１によって押されるようになっており、そのようにして押されることによりセット部材１０が時計方向へ回転するようになっている。更に、ばね掛け１０ｅには、筒部１０ａに嵌装されていてセット部材１０を反時計方向へ回転するように付勢しているばね１２の一端が掛けられている。また、突起１０ｆはセット部材１０の背面側に設けられていて、孔１ｄに挿入され、セット部材１０の回転角度が規制されるようになっている。
【００１５】
シャッタ地板１の軸１ｅ，１ｆ，１ｇの小径部には、上記のような構成部品の上方から上地板１３とプリント配線板１４が順に取り付けられている。その取り付け方は、先ず上地板１３の孔１３ａ，１３ｂ，１３ｃを嵌合させ、次にプリント配線板１４の孔１４ａ，１４ｂ，１４ｃを嵌合させた後、軸１ｅ，１ｆの先端に形成されたネジ穴にビス１５，１６を螺合させる。また、上地板１３には、その一部を折り曲げて、ばね掛け１３ｄが形成されているが、これは上記したばね１２の他端を掛けるためのものである。
【００１６】
上地板１３には、更に四つの折曲部が形成されているが、そのうちの二つは爪部１３ｅ，１３ｆとして構成されていて、夫々、ラチェット車８，９に噛合している。この爪部１３ｅ，１３ｆは、製作後はラチェット車８，９の回転止めの役目をし、各駆動ばね６，７の一端を固定しているが、組立調整時には、この爪部１３ｅ，１３ｆを一時的にラチェット車８，９から外すなどし、ラチェット車８，９を回転させることによって、各駆動ばね６，７の付勢力を調整できるようになっている。
【００１７】
上地板１３に形成された残りの二つの折曲部には、電磁石の取付部材１７，１８がかしめ止めされていて、それらにはネジ穴が形成されている。本実施例における先羽根用電磁石と後羽根用電磁石とは、夫々、二つの磁極部を有する鉄芯部材１９，２０と、コイルを巻回したコイルボビン２１，２２とで構成されており、コイルボビン２１，２２は鉄芯部材１９，２０の一方の磁極部に嵌装されている。そして、各電磁石は、鉄芯部材１９，２０の孔１９ａ，２０ａに挿入したビス２３，２４を、上記した取付部材１７，１８に螺着することによって取り付けられている。また、このとき、コイルボビン２０，２１の各々二つの端子ピン２１ａ，２２ａは、プリント配線板１４の各一対の孔１４ｄ，１４ｅを貫通し、プリント配線板１４の表面側で半田付けされている。
【００１８】
次に、本実施例の作動を説明する。図１は、分解斜視図で示しているので、分かり難いかも知れないが、この状態は露光作動終了直後の状態を示している。即ち、先羽根用駆動部材２と後羽根用駆動部材３は、夫々、先羽根用駆動ばね６と後羽根用駆動ばね７によって時計方向への回転運動を終了し、夫々の作動ピン２ｂ，３ｂは円弧状の孔１ｂ，１ｃ内において下方端の位置にある。また、セット部材１０は、ばね１２によって反時計方向へ回転され、突起１０ｆが孔１ｄの下方端に当接して停止され、初期位置に復帰している。更に、このとき、カメラ本体の部材であるセット操作部材１１は、セット部材１０とは接触していない。この露光作動終了直後の状態を、各駆動部材２，３と、セット部材１０と、各電磁石の鉄芯部材１９，２０との関係で示したのが図２である。
【００１９】
このような状態においてフィルムが巻き上げられると、それに連動して、カメラ本体側のセット操作部材１１が図１の矢印方向、即ち平面的には開口部１ａの一辺に略平行に作動する。それによって、セット部材１０の被押動部１０ｄが押されるので、セット部材１０は、ばね１２に抗して時計方向へ回転される。その過程において、先ず、セット部材１０の押動部１０ｂが先羽根用駆動部材２の被押動部２ｃを押し、該駆動部材２を、先羽根用駆動ばね６に抗して反時計方向へ回転させる。
【００２０】
先羽根用駆動部材２の作動が開始され、作動ピン２ｂが先羽根群を重畳位置から展開させてゆき、そのスリット形成羽根の一部が、展開状態にある後羽根群のスリット形成羽根に重なった段階で、今度は、セット部材１０の押動部１０ｃが後羽根用駆動部材３の被押動部３ｃを押し、該駆動部材３を、後羽根用駆動ばね７に抗して反時計方向へ回転させ、作動ピン３ｂによって後羽根群を重畳させていくことになる。従って、その後は、両駆動部材２，３が、共に反時計方向へ回転されて行き、フィルムを感光させることなく、両羽根群をセット位置へ向けて作動させていく。
【００２１】
このようにしてセット作動が行われてゆくと、やがて、各駆動部材２，３に取り付けられた鉄片部材４，５が、電磁石を構成している各鉄芯部材１９，２０の磁極端面に接触することになるが、この接触は、部品加工や組立加工上の問題があって、同時に行われることが期待できない。そこで、各駆動部材２，３は、このような接触状態が完全に得られるようにするため、理論的に決められる位置よりも余分に回転されてから停止することになるが、そのよう作動が可能であることを図２〜図４を用いて以下に説明する。尚、この作動を可能にするための構成は周知である。
【００２２】
本実施例における鉄片部材４，５は、図３から分かるように、鉄芯部材１９，２０に接触し吸着される鉄片部４ａ，５ａと、軸部４ｂ，５ｂと、鍔部４ｃ，５ｃとを有しており、明示されていないが各駆動部材２，３の取付部２ｄ，３ｄに形成されている孔に緩く嵌合されている。そのため、軸部４ｂ，５ｂはその孔に対して軸方向へ移動が可能であるほか、首を回転させるような運動も可能になっている。また、その孔の内部には圧縮ばねが内蔵されており、鉄片部４ａ，５ａを取付部２ｄ，３ｄから突き出すように付勢している。図２との比較から分かるように、鍔部４ｃ，５ｃは、その付勢力によって取付部２ｄ，３ｄから抜け落ちるのを防ぐためのものである。
【００２３】
このような構成をしているから、図２に示すセット作動を行う前の位置（以後、この位置をセット部材１０についてはセット作動前位置という）から、各駆動部材２，３がセット部材１０によって反時計方向へ回転されると、本実施例においては、最初に、先羽根用駆動部材２に設けられた鉄片部材４の鉄片部４ａが鉄芯部材１９に接触する。この接触は、当初は密接状態とならず、鉄芯部材１９の磁極面に対して、鉄片部４ａの接触面の一部だけが接触するが、その後、鉄片部４ａが圧縮ばねに抗して押されることによって密接状態となる。このように密接された状態が、先羽根用駆動部材２のセット完了状態である。
【００２４】
鉄片部材４と鉄芯部材１９との接触開始に続いて、後羽根用駆動部材３に設けられた鉄片部材５の鉄片部５ａが鉄芯部材２０に接触する。そして、鉄片部５ａが鉄芯部材２０に密接したときの状態が図３に示された状態である。そのため、この状態においては、鉄片部５ａは圧縮ばねに抗して僅かに押し込まれており、鉄片部４ａは更に押し込まれた状態となっている。このようにして鉄片部４ａと鉄片部５ａの両方が、夫々、鉄芯部材１９，２０に密接されたとき、各駆動部材２，３のセットは実質的に完了したことになる。セット部材については、この状態が得られたときの位置を、以下、セット完了位置という。
【００２５】
ところで、このような状態は、上記した理由により、製作上画一的に得られるものではない。そのため、各駆動部材２，３は、僅かではあるが更に反時計方向へ回転されるようになっている。しかしながら、この段階になると、セット部材１０の押動部１０ｂと先羽根用駆動部材２の被押動部２ｃとのカム作用によって、先羽根用駆動部材２は後羽根用駆動部材３よりも回転角度が小さくなる。そのため、鉄片部４ａは余り押し込まれず、鉄片部５ａの方が多く押し込まれ、図４の状態となる少し前の状態、即ち、被押動部１０ｄの押される面が指標Ｂ，Ｃ間にある状態で、カメラ本体側のセット操作部材１１による押動が停止され、セット部材１０と各駆動部材２，３も停止し、以後、次の撮影が行われるまで、この状態が保持される。
【００２６】
次の撮影に際して、カメラのレリーズボタンが押されると、その初期段階において先ず二つの電磁石に通電される。そして、鉄片部材４，５、即ち各駆動部材２，３が各駆動ばね６，７に抗して磁気的に保持された後、カメラ本体側のセット操作部材１１が図１に示した初期位置へ向けて作動される。そのため、セット部材１０は、ばね１２によって反時計方向へ回転されるが、それによって押動部１０ｂ，１０ｃが被押動部２ｃ，３ｃから退いて行くので、各駆動部材２，３は各駆動ばね６，７によって時計方向へ回転され、僅かに回転した段階で各鉄片部材４，５の鍔部４ｃ，５ｃに取付部２ｄ，３ｄが接触し、停止する。各駆動部材２，３は、この状態の位置が露光作動開始位置となる。セット部材１０は、その後も反時計方向へ回転し、その突起１０ｆが図１において孔１ｄの下端に当接した初期位置、即ちセット作動前位置で停止する。セット操作部材１１は、その後も作動してセット部材１０から離れ、図１の位置で停止する。そして、その後は、周知のようにして、二つの電磁石への通電を順に断ち、各駆動部材２，３の露光作動の終了した状態が、上記した図１の露光作動終了直後の状態ということになる。
【００２７】
ところで、本発明の要点は、このような実施例において、シャッタ地板１に指標Ａ，Ｂ，Ｃを設けた点にある。従って、以下、この点について説明する。上記の説明から既に分かるように、カメラ本体側の部材とシャッタユニット側の部材とのインターフェイスは、本実施例においてはセット部材１０とセット操作部材１１である。言うまでもなく、シャッタはカメラの構成ユニットであるから、このインターフェイスも、原則として、カメラ本体側の仕様が優先する。
【００２８】
そこで、その仕様によれば、シャッタユニットがカメラ本体に組み付けられたとき、諸々の公差の関係から、セット作動時に、セット操作部材１１がセット部材１０の被押動部１０ｄを押し始め得るのは、早ければ図２に一点鎖線で示したＺの位置であり、また遅くとも指標Ａの位置までには押し始めることができるように決められているとする。このことは、特にセット操作部材１１が、図２の表面側の垂直位置を支点として、被押動部１０ｄに対する押動部が振り子のようにして図２の上方から下方に向けて移動する場合に重要となる。
【００２９】
その場合、もしも、セット部材１０の被押動部１０ｄが指標Ａよりも上方位置にあると、セット操作部材１１によって、セット部材１０をセット作動させることができない場合が生じてしまうからである。従って、そのような場合には、シャッタユニットとしては、セット部材１０のセット作動前位置において、被押動部１０ｄが指標Ａよりも下方位置にあるように製作しなければならないことになる。本実施例は、シャッタユニットの組立時に、それを目視で簡単に確認できるようにするために指標Ａが設けられており、図２はセット部材１０のセット作動前位置を示したものであるから、そこに示された製品はそれに適合しているということになる。
【００３０】
更に、上記の仕様によれば、セット操作部材１１によって、セット部材１０を押し続けるのは、早ければ指標Ｂの位置までであり、遅いものでも指標Ｃの位置までであるように決められていたとする。そうすると、シャッタユニットとしては、被押動部１０ｄが指標Ｂの位置に達する前に、セット部材１０がセット完了位置となっていなければいけないことになる。本実施例は、組立時に、それを目視で確認できるようにするために指標Ｂが設けられており、図３はそのセット完了位置を示したものであるから、適合品ということになる。
【００３１】
また、セット部材１０は、セット操作部材１１によって被押動部１０ｄを指標Ｃの位置まで押されことがあるわけであるから、少なくともそこまで回転できるように製作されていなければならない。実施例においては、セット部材１０の時計方向の回転は、突起１０ｆが、図１においてシャッタ地板１に形成された孔１ｄの上端に当接するまで可能になっている。カメラが完成した場合には、セット部材１０が、そこまで回転されることは有り得ないが、そこまで回転した位置を、以下、セット部材１０のセット作動停止位置ということにする。図４は、そのようなセット作動停止位置を示している。本実施例によれば、シャッタユニットの製作時において、セット部材１０が問題ないところまで回転できるかどうかを目視で簡単に確認できるようにするために指標Ｃが設けられており、図４に示すように、被押動部１０ｄが指標Ｃを越えているので適合品ということになる。
【００３２】
以上のように、本実施例の場合には三つの指標Ａ，Ｂ，Ｃを設けているが、これらの指標は実施例のように線状に記す必要はなく、位置が目視で確認できれば、どのようなものであっても構わない。また、指標を付ける方法は、塗料によって記してもよいが、シャッタ地板１が金属製の場合には工具によって溝を付けるようにすることが考えられ、合成樹脂製の場合には金型によって凹状又は凸状に形成することが考えられる。更に、指標Ａは、セット操作部材１１が、上記したように、図２の表面側の垂直位置を支点として、被押動部１０ｄに対する押動部が振り子のようにして作動することなく、単に、シャッタ地板１の表面に対して平行に、且つ図２の上方から下方に向けて移動するような場合には、必ずしも必要としない。その場合には、円弧状の孔１ｄの長さを、余裕をみて長くしておけばよい場合がある。このことは、指標Ｃについても同じことがいえる。しかしながら、孔１ｄの長さを必要以上に長くすることは、漏光のことを考えると余り好ましいことではない。
【００３３】
次に、図５〜図７を用いて本発明の第２実施例を説明するが、本実施例の構成は、その殆どが第１実施例の構成と同じであるから、第１実施例と同じ部材，部位には同じ符号を付け、それらについての説明を省略する。従って、以下、異なる構成についてのみ説明するが、それ以外の構成については図１〜図４に示された構成が全て援用されることになる。本実施例におけるセット部材１０は、被押動部１０ｄの近傍位置に係合部１０ｇが形成されている点だけが第１実施例のセット部材１０と異なっている。また、本実施例においては、シャッタ地板１に軸１ｈとストッパ１ｉが設けられており、軸１ｈにはレリーズ部材２５が回転可能に取り付けられている。
【００３４】
このレリーズ部材２５は、係止部２５ａと被押動部２５ｂとを有していて、図示していないばねによって反時計方向へ回転するように付勢されており、係止部２５ａは上記の係合部１０ｇに係合可能になっていて、被押動部２５ｂは図示していないカメラ本体側のレリーズ操作部材の押動部によって押され得るようになっている。更に、シャッタ地板１の表面には、上記被押動部２５ｂの作動軌跡に対応した位置に三つの指標Ｄ，Ｅ，Ｆが線状に記されている。尚、これらの指標Ｄ，Ｅ，Ｆについては、既に説明した指標Ａ，Ｂ，Ｃと同様に、種々の形成方法があり、特に線状である必要はない。
【００３５】
次に、本実施例の作動を説明するが、第１実施例の場合と同じ作動を行うところについては簡略化して説明する。図７には、レリーズ部材２５が、図示していないばねに抗して時計方向へ最大限回転させられた状態が示されているが、この状態からレリーズ部材２５がストッパ１ｉに停止されるまで反時計方向へ回転された状態が、第１実施例における図２の状態と同じ状態ということになる。従って、本実施例におけるセット作動も第１実施例と同様にして、その状態から、セット部材１０の被押動部１０ｄが、セット操作部材１１に押されることによって行われる。
【００３６】
セット部材１０が、時計方向へ回転すると、その過程において各駆動部材２，３を介して各羽根群をセット位置へ向けて作動させる。そして、図５に示した状態の直前位置に達すると、セット部材１０の係合部１０ｇがレリーズ部材２５の係止部２５ａに当接して、該係止部２５ａを押す。そのため、両者の接触面のカム作用によって、レリーズ部材２５は、図示していないばねに抗して時計方向へ回転されていく。そして、このような、接触関係は、セット操作部材１１によって押されている被押動部１０ｄの端面が指標Ｂの位置に達する前に解かれ、それによってレリーズ部材２５は反時計方向へ回転し、図５に示す状態に復帰する。セット操作部材１１は、その後もセット部材１０を僅かに回転させ、被押動部１０ｄの端面が指標Ｂの位置に達した後、図１に示した初期位置へ復帰する。それにより、セット部材１０もばね１２によって追従し回転するが、僅かに回転した段階でレリーズ部材２５に係止され図５に示した状態となる。従って、セット部材１０にとっては、この位置がセット完了位置となる。
【００３７】
次の撮影に際して、カメラのレリーズボタンが押されると、その初期段階において先ず鉄片部材４，５、即ち各駆動部材２，３が各電磁石によって磁気的に保持される。その後、図示していないカメラ本体側のレリーズ操作部材が、図５においてシャッタ地板１の表面と略平行に右から左へ作動し、レリーズ部材２５の被押動部２５ｂを押す。それによって、レリーズ部材２５は図示していないばねに抗して時計方向へ回転し、図６に示した状態になった直後にセット部材１０の係止を解くので、セット部材１０はばね１２によって反時計方向へ回転される。
【００３８】
そして、このようなセット部材１０の復帰過程において、押動部１０ｂ，１０ｃが被押動部２ｃ，３ｃから退くと、各駆動部材２，３は露光作動開始位置まで僅かに回転し停止する。セット部材１０は、その後も反時計方向へ回転し、初期位置、即ちセット作動前位置で停止する。その後、カメラのレリーズボタンが離されると、図示していないレリーズ操作部材が初期位置へ復帰され、レリーズ部材２５もそれに追従するが、ストッパ１ｉに当接することによって停止される。他方、上記したレリーズ操作部材が初期位置へ復帰すると、フィルム巻き上げ機構が作動してフィルムを巻き上げ、それに連動してカメラ本体側のセット操作部材１１がセット部材１０を時計方向へ回転させ、次のセット作動が行われることになる。
【００３９】
このように、本実施例においても、第１実施例と同様にして、シャッタ地板１に指標Ａ，Ｂ，Ｃが設けられているが、それらに加えて指標Ｄ，Ｅ，Ｆが設けられている。上記したように、本実施例におけるレリーズ部材２５は、カメラ本体側に設けられたレリーズ操作部材によって作動されるので、それらの指標Ｄ，Ｅ，Ｆは、レリーズ操作部材の公差範囲に対応して設けられている。即ち、指標Ｄは、被押動部２５ｂの押される端面が、その位置よりも右方向へ移動した場合には、レリーズ操作部材との位置関係によりレリーズ操作部材によってレリーズ部材２５がスムーズに時計方向へ回転されない可能性のある位置に設けられている。また、指標Ｅは、レリーズ部材２５がレリーズ操作部材によって押される最小限の位置に設けられており、指標Ｆはその最大限の位置に設けられている。
【００４０】
このようにして各指標Ｄ，Ｅ，Ｆが設けられていることから、シャッタユニットの製作段階において、セット部材１０がセット作動前位置にあるときには、被押動部２５ｂの押される面が、指標Ｄよりも左側にあればよいことになる。また、図６から分かるように、セット部材１０の係止が解かれるまでは、被押動部２５ｂの押される面が指標Ｅの右側になければいけないことになる。更に、レリーズ部材２５は、被押動部２５ｂの押される面が、少なくとも指標Ｆの左側まで動かされなければならないことになる。本実施例においては、このようなことを、検具を用いることなく目視によって簡単に判定することが可能になっている。
【００４１】
ところで、上記において指標Ｄ，Ｆは絶対に必要なものではない。即ち、本実施例のようにストッパ１ｉによって被押動部２５ｂの押される面が指標Ｄよりも右側には絶対に存在し得ない場合には不要ということになる。しかしながら、レリーズ部材２５の部品加工公差や取り付け公差によって、右側になる危険性のある場合には必要ということになる。また、レリーズ部材２５の時計方向の回転にはストッパが設けられていないので、指標Ｆを設ける意味がないのではないかという考えもあるが、本実施例の場合には、余り時計方向へ回転させてしまうと、レリーズ部材２５の係止部２５ａが開口部１ａ内に臨んでしまう。そこで、図７に示すように、係止部２５ａが開口部１ａ内に臨んでしまう前に、被押動部２５ｂの押される面が指標Ｆの左側に存在していなければならないことになる。このような判定を必要としない場合には、指標Ｆは不要ということになる。
【００４２】
【発明の効果】
上記のように、本発明によれば、シャッタユニットの製作段階において、セット部材１０やレリーズ部材２５のような連動部材が、カメラ本体側の部材に確実に連動し得るかどうかを、シャッタ地板に指標を設けるだけで、簡単に判定できるから、従来のように、検具を用いる場合に比較して極めて有効である。
【図面の簡単な説明】
【図１】第１実施例の分解斜視図である。
【図２】第１実施例の平面図であって、セット部材がセット作動前位置にある状態を示している。
【図３】第１実施例の平面図であって、セット部材がセット完了位置にある状態を示している。
【図４】第１実施例の平面図であって、セット部材がセット作動停止位置にある状態を示している。
【図５】第２実施例の平面図であって、セット部材がセット完了位置にあり、レリーズ部材によって係止されている状態を示している。
【図６】第２実施例の平面図であって、セット部材がセット完了位置にあり、レリーズ部材による係止が解かれる直前の状態を示している。
【図７】第２実施例の平面図であって、セット部材がセット作動前位置にあり、レリーズ部材が時計方向へ最大限に回転された状態を示している。
【符号の説明】
Ａ，Ｂ，Ｃ，Ｄ，Ｅ，Ｆ      指標
１                          シャッタ地板
１ａ                        開口部
１ｂ，１ｃ，１ｄ，１３ａ，１３ｂ，１３ｃ，１４ａ，１４ｂ，１４ｃ，１４ｄ，１４ｅ，１９ａ，２０ａ  孔
１ｅ，１ｆ，１ｇ，１ｈ      軸
１ｉ                        ストッパ
２                          先羽根用駆動部材
２ａ，３ａ                  筒部
２ｂ，３ｂ                  作動ピン
２ｃ，３ｃ，１０ｄ，２５ｂ  被押動部
２ｄ，３ｄ                  取付部
３                          後羽根用駆動部材
４，５                      鉄片部材
４ａ，５ａ                  鉄片部
４ｂ，５ｂ                  軸部
４ｃ，５ｃ                  鍔部
６                          先羽根用駆動ばね
７                          後羽根用駆動ばね
８，９                      ラチェット車
１０                        セット部材
１０ａ                      筒部
１０ｂ，１０ｃ              押動部
１０ｅ，１３ｄ              ばね掛け
１０ｆ                      突起
１０ｇ                      係合部
１１                        セット操作部材
１２                        ばね
１３                        上地板
１３ｅ，１３ｆ              爪部
１４                        プリント配線板
１５，１６，２３，２４      ビス
１７，１８                  取付部材
１９，２０                  鉄芯部材
２１，２２                  コイルボビン
２１ａ，２２ａ              端子ピン
２５                        レリーズ部材
２５ａ                      係止部
【図１】
0003926415.tif 000002
【図２】
0003926415.tif 000003
【図３】
0003926415.tif 000004
【図４】
0003926415.tif 000005
【図５】
0003926415.tif 000006
【図６】
0003926415.tif 000007
【図７】
0003926415.tif 000008